(57)【要約】【課題】着信許容回線数を任意に設定でき、着信を許容しているＩＳＤＮ回線が無く電話着信を受けることができなかった場合に、話中になった着信呼の数や、発信者の電話番号等の情報を取得できる構成を提供する。【解決手段】通話接続が可能な前記外線の数である着信許容回線数を任意に設定する手段と、前記着信許容回線数以上の着信呼が空いている前記外線に着信した場合、通話接続処理を行わず、解放完了メッセージを前記公衆網に送信することによって着信規制する手段と、着信規制された着信呼の電話番号等の情報を前記構内交換機で受信した呼設定メッセージから得る手段とを備える。【選択図】　図２
2004112475.tif 000002
【特許請求の範囲】
【請求項１】
ＩＳＤＮ網等の公衆網からの外線を複数収容し、複数の受付用電話機を備えた構内交換システムにおいて、
通話接続が可能な前記外線の数である着信許容回線数を任意に設定する手段と、前記着信許容回線数以上の着信呼が空いている前記外線に着信した場合、通話接続処理を行わず、解放完了メッセージを前記公衆網に送信することによって着信規制する手段と、
着信規制された着信呼の情報を前記構内交換機で受信した呼設定メッセージから得る手段とを有していることを特徴とする着信規制制御システム。
【請求項２】
ＩＳＤＮ網等の公衆網からの外線を複数収容し、複数の受付用電話機を備えた構内交換機に対し、通話接続が可能な前記外線の数である着信許容回線数を任意に設定する着信許容回線数入力部と、
着信規制された着信呼の情報を記憶する着信情報蓄積部とを有した着信規制制御装置。
【発明の詳細な説明】
【０００１】
【発明の属する技術分野】
本発明は電話交換システムに関し、ＩＳＤＮ回線等の外線への着信の規制方式に関する。
【０００２】
【従来の技術】
従来の構内交換機では、容易にＩＳＤＮ回線等の外線の回線数を任意に変更する方式として特開平４−２５６２６５号がある。この方式では、外線を収容している局線トランクの着信状態と受付台の稼動状態を監視し、その監視結果に応じて予め設定した閾値との比較により局線トランクを閉塞／開放して、外線の回線数を変更していた。
【０００３】
【発明が解決しようとする課題】
上述したように、従来の方式では、使用回線を規制するために局線トランクを閉塞しているため、話中に遭遇した呼の数が不明となってしまう。また、外線の回線数をオペレータが応答できる数にした場合、発信者が話中に遭遇する可能性が高くなる。そして、発信者が話中に遭遇した場合、その発信者の情報は不明となってしまう。
そこで本発明の目的は、構内交換機の外線着信において、着信許容回線数を任意に設定でき、着信を許容しているＩＳＤＮ回線が無く電話着信を受けることができなかった場合に、話中になった着信呼の数や、発信者の電話番号等の情報を取得できる構成を提供するものである。
【０００４】
【課題を解決するための手段】
本発明の着信規制制御システムは、ＩＳＤＮ網等の公衆網からの外線を複数収容し、複数の受付用電話機を備えた構内交換システムにおいて、通話接続が可能な前記外線の数である着信許容回線数を任意に設定する手段と、前記着信許容回線数以上の着信呼が空いている前記外線に着信した場合、通話接続処理を行わず、解放完了メッセージを前記公衆網に送信することによって着信規制する手段と、着信規制された着信呼の電話番号等の情報を前記構内交換機で受信した呼設定メッセージから得る手段とを有していることを特徴とする。
【０００５】
【発明の実施の形態】
次に、本発明の実施の形態について図面を参照して詳細に説明する。
図１は本発明の全体構成を示す図である。構内交換機３は、ＩＳＤＮ回線をｎ回線（ｎは自然数）と外線トランク２とを介して、ＩＳＤＮ網１と接続されている。規制回線制御装置４は、構内交換機３とＬＡＮ等のネットワークで接続され、構内交換機３に対して着信許容回線数を設定する。さらに、構内交換機３には、電話機５が接続されている。
【０００６】
図２は構内交換機３と規制回線制御装置４の内部構成を示す図である。構内交換機３は、ＩＳＤＮ網１との間で送受信される各種メッセージ信号を処理するＩＳＤＮメッセージ処理部３１と、着信呼数をカウントするための着信呼カウント部３２と、着信呼の数や発信者番号等の着信情報を規制回線制御装置４に送信するための着信情報送信部３３と、着信許容回線数情報を規制回線制御装置４から受信する着信許容回線数情報受信部３４を備えている。
【０００７】
規制回線制御装置４は、着信許容回線数情報を構内交換機３に送信する着信許容回線数情報送信部４１と、着信許容回線数情報送信部４１に任意の着信共用回線数情報を送信するように指示するための着信許容回線数入力部４２と、構内交換機３から着信呼の数や発信者番号等の着信情報を受信する着信情報受信部４３と、着信情報受信部４３で受信した着信情報を保存しておく着信情報蓄積部４４とを備えている。また、規制回線制御装置４は、着信許容回線数情報送信部４１に任意の着信共用回線数情報を任意の時間で自動的に指示する規制スケジュール記憶部４５も備えている。
次に、図１と図３のフローチャートと図４のシーケンス図を参照して本実施例の動作について説明する。
まず、ＩＳＤＮ網１から外線トランク２に着信する（図３のステップＡ１）。次に、通話中回線数が着信許容回線数ｍより少ないか判断し（ステップＡ２）、少なければ図４の（ａ）に示す通常の着信処理を行う（ステップＡ５）。
さらに、通話中回線数が着信許容回線数ｍ以上の場合、図４の（ｂ）に示す回線切断の処理のように、ＩＳＤＮ網１に解放完了（ＲＥＬ　ＣＯＭ）を通知し（ステップＡ３）、回線を切断するとともに、規制回線制御装置４に発信者の電話番号等の着信情報を通知する（ステップＡ４）。
【０００８】
さらに、図２の各構成の動作について具体例を用いながら詳細に説明する。
呼設定（ＳＥＴ　ＵＰ）が着信許容回線数入力部４２または規制スケジュール記憶部４５によって着信許容回線数ｍ（ｍ≦ｎ）が着信許容回線数情報送信部４１と着信許容回線数情報受信部３４を介して着信呼数カウント部３２に設定される。
ここで、仮にｍ＝ｎ−１とする。（ｎ−１）個の外線トランク２が通話中で、ｎ個目の空いている外線トランク２に着信があったとき、呼設定（ＳＥＴ　ＵＰ）信号をＩＳＤＮメッセージ処理部３１で受信する。着信呼数カウント部３２は、着信呼数をカウントし、着信呼数が着信許容回線数ｍを超えているので、ＩＳＤＮメッセージ処理部３１に対し、ＩＳＤＮ網１に解放完了（ＲＥＬ　ＣＯＭ）を送信するように指示する。
このとき、ＩＳＤＮメッセージ処理部３１で受信した呼設定（ＳＥＴ　ＵＰ）に含まれる発信者番号等の着信情報を、着信情報送信部３３と着信情報受信部４３を介して着信情報蓄積部４４に保存する。
このように、外線トランク２を閉塞することなく、電話機５で受付を行うオペレータの数に応じて自由にＩＳＤＮ網１からの着信数を制限することが可能となる。その上、規制を行った着信呼に関する情報を構内交換機側で獲得することが可能となる。
【０００９】
【発明の効果】
以上説明したように本発明は、容易にＩＳＤＮ網からの着信可能な回線数を設定でき、着信を規制する際には、外線トランクを閉塞しないので、規制された着信呼の情報を交換機側で得ることが可能となる。
【図面の簡単な説明】
【図１】本発明の実施の形態の全体構成を示すブロック図である。
【図２】本発明の実施の形態の内部構成を示す図である。
【図３】本発明の実施の形態の動作を示すフローチャートである。
【図４】従来の実施の形態を示すシーケンス図である。
【符号の説明】
１　ＩＳＤＮ網
２　外線トランク
３　構内交換機
４　規制回線制御装置
５　電話機
３１　ＩＳＤＮメッセージ処理部
３２　着信呼数カウント部
３３　着信情報送信部
３４　着信許容回線数情報受信部
４１　着信許容回線数情報送信部
４２　着信回線数入力部
４３　着信情報受信部
４４　着信情報蓄積部
４５　規制スケジュール記憶部
【図１】
2004112475.tif 000003
【図２】
2004112475.tif 000004
【図３】
2004112475.tif 000005
【図４】
2004112475.tif 000006